(57)【要約】【課題】配線の取り回しを容易にした非常灯及び照明装置を提供する。【解決手段】非常灯２は、基板３０、非常用光源２１２及び電池パック２６を有する。前記非常用光源２１２は、前記基板３０の第１面側に配置される。前記電池パック２６は、前記基板３０における前記非常用光源２１２の照射方向と反対側の第２面側に配置される。【選択図】図４
2019061820.tif 000002
【特許請求の範囲】
【請求項１】
基板と；
前記基板の第１面側に配置される光源と；
前記基板における前記光源の照射方向と反対側の第２面側に配置される蓄電部材と；
を備えたことを特徴とする非常灯。
【請求項２】
前記基板は、前記第１面の第１端部に、前記蓄電部材から延びる電力供給経路が接続される接続部材を備えたことを特徴とする請求項１に記載の非常灯。
【請求項３】
前記基板は、前記光源に対して前記第１端部とは反対側の第２端部に、前記光源の照射試験を行うためのスイッチ及び自装置の状態を知らせる通知部材を備えたことを特徴とする請求項２に記載の非常灯。
【請求項４】
一般光源及び非常灯を有する照明装置であって、
前記非常灯は、
基板と；
前記基板の第１面側に配置される非常用光源と；
前記基板における前記光源の照射方向と反対側の第２面側に配置される蓄電部材とを備えた
ことを特徴とする照明装置。
【発明の詳細な説明】
【技術分野】
【０００１】
本発明の実施形態は、非常灯及び照明装置に関する。
【背景技術】
【０００２】
発光ダイオード（ＬＥＤ：Light  Emitting  Diode）から放射された光が所定の方向に照射されるように、レンズを備えたＬＥＤ照明器具が提案されている。例えば、発光ダイオードの発光領域の全域を囲繞するように基板に一体に実装された投光レンズを具備し、投光レンズの屈折率を利用して発光ダイオードからの光の配光特性を制御するＬＥＤ照明器具が提案されている。このようなＬＥＤ照明器具は、広角型の投光レンズを実装した場合、発光ダイオードから拡散する光を逃がすことなく照明光として有効に利用することができる。
【０００３】
また、住宅や、商業施設、工場等の天井面に直接取り付けられる照明器具として、常用点灯用光源を有する照明器具の器具本体内に非常灯を組み込んだ非常灯組み込み形照明器具が開発されている。このような照明器具における非常灯として、上述したような広角型の投光レンズを実装したＬＥＤ照明器具が用いられる。この非常灯組み込み形の照明器具は、通常時は商用電源のような外部電源の電力を用いて一般光源を点灯させ、外部電源からの給電が停止した非常時には、内蔵した蓄電池の電力を用いて非常用光源を点灯させる構成になっている。
【０００４】
このような非常灯組み込み型の照明器具として、一般光源を有する第１照明器具と非常用光源を有する第２照明器具とを第１照明器具の長手方向に並べて配置した照明器具が提案されている。
【先行技術文献】
【特許文献】
【０００５】
【特許文献１】特開２０１７−４５６１４号公報
【発明の概要】
【発明が解決しようとする課題】
【０００６】
しかしながら、従来の非常灯は、基板の上に蓄電池が配置され、その蓄電池の上に投稿レンズで囲われたＬＥＤを有する非常用光源が配置される。そのような構成では、基板上に大きいサイズの蓄電池を配置する場合、蓄電池に干渉するためコネクタなどの基板から突出する部材を基板上に配置することが困難である。そのため、従来は、隙間を空けて２枚の基板を配置し、その隙間に配線を通すなどしていた。そのため、配線の取り回しが困難であった。
【０００７】
また、一般光源を有する第１照明器具と非常用光源を有する第２照明器具とを並べて配置する従来技術を用いても、基板、蓄電池及び非常用光源の配置は従来と同様であり、配線の取り回しは困難である。
【０００８】
本発明が解決しようとする課題は、配線の取り回しを容易にした非常灯及び照明装置を提供することである。
【課題を解決するための手段】
【０００９】
実施形態に係る非常灯及び照明装置の一つの態様において、基板を有する。さらに、光源は、前記基板の第１面側に配置される。蓄電部材は、前記基板における前記光源の照射方向と反対側の第２面側に配置される。
【図面の簡単な説明】
【００１０】
【図１】図１は、第１の実施形態に係る非常灯組み込み形の照明装置の全体の外観を示す斜視図である。
【図２】図２は、非常灯が取り付けられた部分を拡大した斜視図である。
【図３】図３は、照明装置の筐体から取り外された状態の非常灯の概略斜視図である。
【図４】図４は、非常灯の断面図である。
【図５】図５は、第２の実施形態に係る照明装置における非常灯の配置状態を説明するための概略図である。
【発明を実施するための形態】
【００１１】
以下で説明する実施形態に係る非常灯２は、基板３０と、非常用光源２１２と、電池パック２６とを具備する。非常用光源２１２は、基板３０の第１面側に配置される。電池パック２６は、基板３０における非常用光源２１２の照射方向と反対側の第２面側に配置される。
【００１２】
また、以下に説明する実施形態に係る基板３０は、第１面の第１端部に、電池パック２６から延びる電力供給経路が接続される電源用端子台２８を備える。
【００１３】
また、以下に説明する実施形態に係る基板３０は、非常用光源２１２に対して第１端部とは反対側の第２端部に、非常用光源２１２の照射試験を行うためのスイッチ及び非常灯２の状態を知らせる通知部材を備える。
【００１４】
また、以下に説明する実施形態に係る照明装置１００は、ＬＥＤバー３及び非常灯２を有する。そして、非常灯２は、基板３０と、非常用光源２１２と、電池パック２６とを具備する。非常用光源２１２は、基板３０の第１面側に配置される。電池パック２６は、基板３０における非常用光源２１２の照射方向と反対側の第２面側に配置される。
【００１５】
以下、図面を参照して、実施形態に係る非常灯及び照明装置を説明する。実施形態において同一の部位には同一の符号を付し、重複する説明は省略される。
【００１６】
（第１の実施形態）
まず、図１及び２を参照して、第１の実施形態に係る非常灯及び照明装置の全体の構成について説明する。
【００１７】
図１は、第１の実施形態に係る非常灯組み込み形の照明装置の全体の外観を示す斜視図である。本実施形態の照明装置１００の照明器具１は、図１に示すように、長尺状の常用点灯用光源としての直管形のＬＥＤバー３と、ＬＥＤバー３を保持する筐体４とを備える。ＬＥＤバー３は、常用光源である。ＬＥＤバー３は、一般光源であり、商用電源などの外部電源から供給された電力で点灯する。
【００１８】
さらに、照明器具１は、通常時にＬＥＤバー３を点灯させる図示しない常用電源ユニットと、常用電源ユニットを外部電源に接続する図示しない電源端子台と、反射板４１及び４２とを有する常用点灯用の構成部品を備える。
【００１９】
照明器具１の筐体４は、図１に示すように、常用点灯用の構成部品を収容する埋め込みシャーシであるケース部材５を有する。このケース部材５は、対向配置された一対の端板５１及び５２を有する。そして、これらの端板５１と５２との間に反射板４１及び４２が配置される。
【００２０】
照明器具１の筐体４には、反射板４１の一方の傾斜面における端板５２側の端部に、非常灯２が、ＬＥＤバー３の長手方向と直交する方向に横並び状態で隣接配置される。本実施形態では、筐体４の反射板４１の一方の傾斜面に長方形状の切欠き部分６を設けられる。そして、この切欠き部分６に非常灯２が装着される。
【００２１】
図２は、非常灯が取り付けられた部分を拡大した斜視図である。非常灯２は、非常用光源モジュール２１を備える。さらに、非常灯２は、点検スイッチ２２、モニタ用ＬＥＤ２３及びモニタ用ＬＥＤ２４を有する。非常灯２は、化粧枠４３により筐体４に取り付けられた状態で保持される。非常灯２は、化粧枠４３を外すことで筐体４から着脱可能である。
【００２２】
（非常灯２の詳細）
次に、図３及び４を参照して、非常灯２の詳細について説明する。
【００２３】
図３は、照明装置の筐体から取り外された状態の非常灯の概略斜視図である。図３では、図２で照明装置１００に取り付けられた状態の非常灯２とは上下が逆になった状態の非常灯２を表す。図３に示すように、非常灯２は、非常用光源モジュール２１、点検スイッチ２２、モニタ用ＬＥＤ２３及びモニタ用ＬＥＤ２４に加えて、光源固定金具２５、電池パック２６及び回路基板ケース２７を有する。
【００２４】
また、図４は、非常灯の断面図である。図４では、分かり易いように光源固定金具２５を省略して図示した。図４に示すように、非常灯２は、さらに基板３０を有する。基板３０は、電池パック２６と非常用光源モジュール２１との間に配置される。基板３０における非常用光源モジュール２１が配置される側の面が「第１面」の一例にあたる。また、基板３０の電池パック２６が配置される側の面が「第２面」の一例にあたる。
【００２５】
電池パック２６は、複数の蓄電池２６２を有する。本実施形態では、電池パック２６は、基板３０の後述する非常用光源２１２の照射方向とは反対側の面に配置される。電池パック２６は、図３に示すように、光源固定金具２５により保持される。
【００２６】
電池パック２６からは充放電用の経路となる電源ケーブル２６１が伸び、電源ケーブル２６１は、基板３０に設けられた電池用端子台２９に接続される。具体的には、本実施形態に係る非常灯２では、電源ケーブル２６１の電池パック２６とは逆側の先端に、オス側のコネクタ（不図示）が設けられる。そして、電源ケーブル２６１の先端に設けられたオス側のコネクタが、基板３０の電池用端子台２９に設けられたメス側のコネクタ（不図示）に接続されることで、電池パック２６は、電源ケーブル２６１により基板３０上の電池用端子台２９と接続される。
【００２７】
通常時には商用電源などの外部電源から供給された電力が電源ケーブル２６１を経由して電池パック２６に流れ込み、蓄電池２６２が充電される。一方、停電などにより外部電源からの電力供給が停止した場合、電池パック２６は、蓄電池２６２に溜めた電気を電源ケーブル２６１を介して基板３０に供給する。
【００２８】
また、電池パック２６は、電源ケーブル２６１を電池用端子台２９から外した上で、光源固定金具２５から簡単に外すことができる。特に、電池パック２６の引き出し方向と、電池用端子台２９の接続端子の方向が同じ向きであるため、電池パック２６の交換時の端子の取り外しやケーブルの取り回しが容易である。このように、利用者は、電池パック２６の交換を容易に行うことができる。
【００２９】
また、本実施形態に係る電池パック２６は、基板３０の非常用光源モジュール２１とは反対側の面に配置されることで、配置領域として広い領域を確保でき、サイズの小さい蓄電池２６２をより多く配置することができる。これにより、電池パック２６が用いる電流のアンペア数を低減することができ、消費エネルギーの削減及び発熱量の低下を実現できる。この電池パック２６が、「蓄電部材」の一例にあたる。
【００３０】
基板３０は、電池パック２６が配置された側の面とは反対側の配線面上の片側端部に点検スイッチ２２、モニタ用ＬＥＤ２３及びモニタ用ＬＥＤ２４が配置される。また、基板３０は、配線面上の逆側端部に電源用端子台２８及び電池用端子台２９が配置される。さらに、基板３０には、点検スイッチ２２、モニタ用ＬＥＤ２３及びモニタ用ＬＥＤ２４と電源用端子台２８及び電池用端子台２９との間の領域に高さの低い電子部品３１が配置される。
【００３１】
そして、基板３０は、回路基板ケース２７により電池パック２６とは反対側が覆われる。回路基板ケース２７は、点検スイッチ２２、モニタ用ＬＥＤ２３及びモニタ用ＬＥＤ２４、並びに、電源用端子台２８及び電池用端子台２９を覆う部分が、電子部品３１を覆う部分よりも突出する。ここでは、回路基板ケース２７の点検スイッチ２２、モニタ用ＬＥＤ２３及びモニタ用ＬＥＤ２４を覆う突出する部分を突出部２７１という。また、回路基板ケース２７の電源用端子台２８及び電池用端子台２９を覆う突出する部分を突出部２７２という。
【００３２】
さらに、基板３０における突出部２７１と突出部２７２との間の電子部品３１が配置された領域の電池パック２６とは反対側の面の上にレンズ２１１及び非常用光源２１２を有する非常用光源モジュール２１が配置される。突出部２７１及び２７２の高さは、レンズ２１１の光の照射を阻害しない高さである。そして、回路基板ケース２７及び基板３０は、図３に示すように、光源固定金具２５により保持される。
【００３３】
基板３０は、外部電源から電力供給がある場合、電池パック２６を充電する。また、外部電源からの電力供給が停止したア場合、基板３０は、電池パック２６から供給される電力を用いて非常用光源２１２を点灯する。
【００３４】
電源用端子台２８及び電池用端子台２９の内部には、トランスやコンデンサなどが配置される。また、本実施形態では、電源用端子台２８及び電池用端子台２９には、接続用のメス側のコネクタが設けられる。これにより、電源用端子台２８には、外部電源から延びる電源供給用のケーブル（不図示）が着脱可能となる。また、電池用端子台２９には、電池パック２６から延びる電源ケーブル２６１が着脱可能となる。この電池用端子台２９が、「接続部材」の一例にあたる。また、電源ケーブル２６１が、「電力供給経路」の一例にあたる。
【００３５】
点検スイッチ２２は、非常用光源２１２の状態の試験を実施するためのスイッチである。点検スイッチ２２が押下されると、非常用光源２１２が点灯する。また、非常用光源２１２が点灯状態で、点検スイッチ２２が押下されると、非常用光源２１２は消灯する。
【００３６】
モニタ用ＬＥＤ２３は、電池パック２６の充電状態を表示する。また、モニタ用ＬＥＤ２４は、非常灯２の動作状況や異常の発生を通知する。ここで、本実施形態では、モニタ用ＬＥＤ２３及び２４を配置したが、この数に特に制限は無い。このモニタ用ＬＥＤ２３及び２４が、「通知部材」の一例にあたる。
【００３７】
非常用光源モジュール２１は、光源固定金具２５により回路基板ケース２７に固定される。非常用光源２１２は、例えば、ＬＥＤである。非常用光源２１２は、突出部２７１と突出部２７２との間に配置された電子部品３１の電池パック２６とは反対側の面の上に配置される。非常用光源２１２は、電池用端子台２９に向けて配線が伸びており、電池パック２６からの電力供給経路に接続する。この非常用光源２１２が、「光源」の一例にあたる。
【００３８】
レンズ２１１は、非常用光源２１２の光の照射方向を覆うように配置される。レンズ２１１は、非常用光源２１２から照射された光を広範囲に広げて照射する。
【００３９】
光源固定金具２５は、非常用光源モジュール２１、回路基板ケース２７及び電池パック２６を相互に固定する部材である。光源固定金具２５は、図３に示すように非常用光源モジュール２１の周囲を覆い、さらに、回路基板ケース２７及び電池パック２６の側面を覆う形状を有する。
【００４０】
光源固定金具２５は、回路基板ケース２７及び電池パック２６の側面に沿って少なくともレンズ２１１の直径よりも長い壁を有する。すなわち、光源固定金具２５は、基板３０の長手方向の中央付近に壁を有する。そして、光源固定金具２５により回路基板ケース２７が固定され、回路基板ケース２７に格納された基板３０も固定される。これにより、基板３０上に配置された点検スイッチ２２を押下しても光源固定金具２５により力が受けられるため、基板３０の歪みを抑え強度を上げることができる。
【００４１】
ここで、本実施形態では、突出部２７１及び２７２の近傍までレンズ２１１を配置したが、配置はこれに限らない。例えば、突出部２７１及び２７２とレンズ２１１との間に間が空いてもよい。
【００４２】
また、本実施形態では、突出部２７１と突出部２７２との間に非常用光源モジュール２１を配置したが、非常用光源モジュール２１は、基板３０を挟んで電池パック２６と反対側に配置されるのであれば他の位置でもよい。例えば、点検スイッチ２２、モニタ用ＬＥＤ２３及びモニタ用ＬＥＤ２４、並びに、電源用端子台２８及び電池用端子台２９をまとめて基板３０の一方の端部に配置し、残りの領域に非常用光源モジュール２１を配置してもよい。さらに、例えば、電源用端子台２８及び電池用端子台２９を基板３０の一方の端部に配置し、残りの領域に非常用光源モジュール２１を配置してもよい。
【００４３】
以上に説明したように、本実施形態に係る非常灯は、基板を挟むように電池パック及び非常用光源が配置される。これにより、配線の取り回しが容易になる。さらに、基板内部への電力供給用のケーブルの配線を行わないことにより、１枚の基板にすることができ、非常灯の構成を単純にすることができる。また、基板の中央付近を固定する光源固定金具が基板の長手方向に沿った壁を有するため、基板を押圧する力を壁により受け止めることができ、基板の強度を向上させることができる。
【００４４】
（第２の実施形態）
図５は、第２の実施形態に係る照明装置における非常灯の配置状態を説明するための概略図である。本実施形態に係る照明装置１００は、一般光源の長手方向に非常灯２が配置されることが第１の実施形態と異なる。図５は、照明器具を光の照射方向から見た場合のＬＥＤバー３と非常灯２との関係を表す。
【００４５】
図５に示すように、本実施形態に係る照明装置１００では、ＬＥＤバー３の長手方向に並べて非常灯２が配置される。図５では、照明装置１００における筐体４、ケース部材５及び反射板４１及び４２などは省略して図示した。また、実際には、光の照射方向から照明装置１００を見た場合、非常灯２の内部に配置された電源用端子台２８、電池用端子台２９及び基板３０は見えないが、図５では、透過的に電源用端子台２８、電池用端子台２９及び基板３０を破線で表した。
【００４６】
非常灯２は、電源用端子台２８及び電池用端子台２９が配置された側がＬＥＤバー３に近い側に配置される。電源用端子台２８及び電池用端子台２９には、ＬＥＤバー３へ外部電力から供給された電力を供給する電源端子台から延びる電源ケーブル２６１が接続される。このように電源用端子台２８をＬＥＤバー３の近傍に配置されるので、電源供給用のケーブルを短くすることができる。また、非常灯２及びＬＥＤバー３の電力供給部分をまとめることができる。
【００４７】
非常灯２は、第１の実施形態と同様に、基板３０を挟んで電池パック２６と非常用光源モジュール２１とが配置される。
【００４８】
以上に説明したように、本実施形態に係る照明装置は、一般光源であるＬＥＤバーの長手方向にＬＥＤバーに隣接して非常灯が配置される。これにより、非常灯は、一般光源に電力を供給する電源端子台からの配線が容易となり、容易に電力供給を受けることができる。また、一般光源への電源端子台と非常灯の電源用端子台とをまとめて配置することができ、配線の取り回しが容易となる。
【００４９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５０】
１  照明器具
２  非常灯
３  ＬＥＤバー
４  筐体
５  ケース部材
６  切欠き部分
２１  非常用光源モジュール
２２  点検スイッチ
２３，２４  モニタ用ＬＥＤ
２５  光源固定金具
２６  電池パック
２７  回路基板ケース
２８  電源用端子台
２９  電池用端子台
３０  基板
３１  電子部品
４１，４２  反射板
４３  化粧枠
５１，５２  端板
２１１  レンズ
２１２  非常用光源
２６１  電源ケーブル
２６２  蓄電池
２７１，２７２  突出部
【図１】
2019061820.tif 000003
【図２】
2019061820.tif 000004
【図３】
2019061820.tif 000005
【図４】
2019061820.tif 000006
【図５】
2019061820.tif 000007